(57)【要約】【課題】カバーとガラス板との接着強度を向上させ、接着強度のバラツキを低減すると共に、ガラス板の填装時に発生する接着剤の透視窓側へのはみ出しを防止した電力量計を得る。【解決手段】電力量計本体１と、本体容器２と、ガラス板５が接着された透視窓３を有し本体容器２を覆うカバー４とを備えた電力量計において、カバー４の透視窓３の内側の開口部周縁に、ガラス板５と接する窓枠部４ａと、その外周に溝部４ｂを挟んで一周するように設けられた接着剤塗布用の凸部４ｃとを有し、更に、凸部４ｃのガラス板対向面の内周側にガラス板５と当接する突起部４ｄが形成され、ガラス板５が接着剤７により凸部４ｃに貼付けられたとき、接着剤７が突起部４ｄの両側に分配され、ガラス板５と凸部４ｃのガラス板対向面との隙間が接着剤７で埋められるように構成した。【選択図】図３
2008224602.tif 000002
【特許請求の範囲】
【請求項１】
電力量計本体と、前記電力量計本体を収容する本体容器と、外部から前記電力量計本体を透視可能な透視窓を有し前記本体容器の開口を閉塞するカバーと、前記カバーの内側から前記透視窓の外周に貼り付けられたガラス板とを備えた電力量計において、
前記カバーは、前記透視窓の内側の周縁に前記ガラス板と接する窓枠部が形成され、前記窓枠部の外周に溝部を挟んで一周するように、接着剤が塗布される凸部が設けられ、前記凸部のガラス板対向面の内周側の全周に前記ガラス板と当接する突起部が形成されており、
前記ガラス板が半固形状の前記接着剤により前記凸部に貼り付けられたとき、前記接着剤が前記突起部の両側に分配されると共に、前記ガラス板と前記凸部の前記ガラス板対向面との隙間が前記接着剤で埋められるように構成されていることを特徴とする電力量計。
【請求項２】
請求項１記載の電力量計において、前記突起部は、前記凸部の前記ガラス板対向面に段差を設けることにより形成されていることを特徴とする電力量計。
【請求項３】
請求項１記載の電力量計において、前記凸部の前記ガラス板対向面を、内周側を高くし外周側を低くした傾斜面とし、高くした前記内周側の稜線を前記突起部としたことを特徴とする電力量計。
【請求項４】
請求項３記載の電力量計において、前記傾斜面の角度は５度〜１５度の範囲内であることを特徴とする電力量計。
【請求項５】
請求項１〜請求項４のいずれか１項に記載の電力量計において、前記窓枠部の前記ガラス板との当接部近傍は、肉厚を薄くして弾力性を増すようにしたことを特徴とする電力量計。
【請求項６】
請求項１〜請求項５のいずれか１項に記載の電力量計において、前記透視窓及び前記凸部は四隅にＲを有する矩形状とし、前記凸部の四隅の外周近傍に前記凸部とほぼ同じ高さの補強リブを設け、前記補強リブと矩形状をした前記ガラス板の四隅とを接着剤で接着したことを特徴とする電力量計。
【発明の詳細な説明】
【技術分野】
【０００１】
この発明は、電力需要家の使用電力量を計量する電力量計に関するものであり、特に、電力量計本体を収容する本体容器のカバーの透視窓部の構造に関するものである。
【背景技術】
【０００２】
従来の電力量計においては、電力量計本体が外被ケースに収容され、この外被ケースはベースとカバーで形成されており、カバーの前面は外部から電力量計本体を透視可能な透視窓が配設されている。透視窓には透明ガラス板が填装されている（例えば、特許文献１参照）。
【０００３】
【特許文献１】実公平０６−０４８４２６号公報（第１頁、第１図）
【発明の開示】
【発明が解決しようとする課題】
【０００４】
特許文献１に示す従来の電力量計では、透明ガラス板の透視窓部への取付は、カバーの透視窓周縁部に接着剤を塗布し、透明ガラス板を押圧し、接着によって填装している。透明ガラス板とカバー側の接合部が単に平行な接合面の場合は、接合面の接着剤が薄くなり、また塗布量にバラツキが発生しやすい。このため、透明ガラス板の接着強度にバラツキが生じるという問題点があった。
また、透明ガラス板をカバーに押圧したときに、接着剤が透視窓側へはみ出すという問題点があった。
【０００５】
この発明は、上記のような問題点を解消するためになされたもので、カバーとガラス板との接着強度の確保を図り、接着強度のバラツキを低減すると共に、ガラス板の填装時に発生する透視窓側へ接着剤のはみ出しを防止した透過窓を備えた電力量計を得ることを目的とする。
【課題を解決するための手段】
【０００６】
この発明に係わる電力量計は、電力量計本体と、電力量計本体を収容する本体容器と、外部から電力量計本体を透視可能な透視窓を有し本体容器の開口を閉塞するカバーと、カバーの内側から透視窓の外周に貼り付けられたガラス板とを備えた電力量計において、カバーは、透視窓の内側の周縁にガラス板と接する窓枠部が形成され、窓枠部の外周に溝部を挟んで一周するように、接着剤が塗布される凸部が設けられ、凸部のガラス板対向面の内周側の全周にガラス板と当接する突起部が形成されており、ガラス板が半固形状の接着剤により凸部に貼り付けられたとき、接着剤が突起部の両側に分配されると共に、ガラス板と凸部のガラス板対向面との隙間が接着剤で埋められるように構成されたものである。
【発明の効果】
【０００７】
この発明の電力量計によれば、カバーの透視窓の内側の周縁に窓枠部を形成し、その外周に溝部を挟んで凸部を設け、凸部上面の内周側の全周にガラス板と当接する突起部を形成し、半固形状の接着剤によってガラス板を凸部に接着したときに、接着剤が突起部の両側に分配され、ガラス板と凸部のガラス板対向面との隙間を接着剤で埋めるように構成したので、ガラス板とカバーとの接着面積を大きくできるため、ガラス板のカバーへの接着強度を向上でき、また、透視窓側への接着剤のはみ出しを防止できる電力量計を得ることができる。
【発明を実施するための最良の形態】
【０００８】
実施の形態１．
図1は本発明の実施の形態１における電力量計を示す側面断面図、図２は図１のカバーを矢印Ａ側から見た裏面図、図３は図１のＢ部拡大断面図である。
【０００９】
図１において、電力量計１０は、電力量計本体１と、この電力量計本体１が収納される本体容器２と、外部から電力量計本体１を透視可能な透視窓３を有し本体容器２の開口を閉塞するカバー４と、カバー４の内側から透視窓３の外周部分に貼り付けられた透明のガラス板５とを備えている。ガラス板５の接着部の詳細については後述する。本体容器２のベース部２ａには複数の端子部６が設けられている。但し、電力量計本体１及び端子部６は、本発明の主要部ではないので、詳細な説明は省略する。
【００１０】
図２及び図３により、カバー４のガラス板５取付部について説明する。
カバー４は、透視窓３の内側の周縁に、ガラス板５と接する窓枠部４ａが形成されている。そして、窓枠部４ａの外周に溝部４ｂを挟んで一周するように、接着剤７が塗布される凸部４ｃが設けられ、凸部４ｃの上面であるガラス板対向面の内周側の全周に亘ってガラス板５と当接する突起部４ｄが形成されている。
図３の断面図に示すように、突起部４ｄは、凸部４ｃのガラス板対向面の内周側端部を、微小な段差Ｌを設けて突出させて形成し、この突起部４ｄ先端部の高さを、窓枠部４ａの高さＨ（カバー前面から奥行き方向の厚さを高さと呼ぶことにする）とほぼ同じ高さにしている。すなわち、透視窓３にガラス板５を填装したとき、ガラス板５の板面は窓枠部４ａと突起部４ｄ先端とに当接し、ガラス板５と凸部４ｃのガラス板対向面とは、突起部４ｄの段差Ｌ分だけ隙間が発生するようになっている。
なお、上記のガラス板５は、無機ガラス以外に有機ガラスでも良く、例えば、アクリル板等も含むものとする。
【００１１】
次に、図３を用いて、本発明の実施の形態１における電力量計１０のガラス板５をカバー４に接着する工程について説明する。
（１）図３（ａ）に示すように、凸部４ｃのガラス板５との対向面に凸部４ｃの全周に亘り、半固形状の接着剤７をその射出装置であるディスペンサ８を用いて射出する。
なお、半固形状の接着剤７としては、例えば、シリコーン系接着剤を使用する。
（２）次に図３（ｂ）のように、ガラス板５を保持具９により保持した状態で、矢印Ｄ方向に移動させ、半固形状の接着剤７を凸部４ｃ上面に押し付ける。
（３）更に、図３（ｃ）のように、ガラス板５を押圧して突起部４ｄに当接させることにより、半固形状の接着剤７は、突起部４ｄでその両側に分断され、一方は溝部４ｂへ入り込むと共に、他方はガラス板５と凸部４ｃのガラス板対向面との隙間を埋めるように変形する。このため、ガラス板５とカバー４とは大きな接着面積によって接着される。
【００１２】
上記では、凸部４ｃに形成する突起部４ｄを、凸部４ｃ上面に微小段差Ｌを設けたものについて説明したが、次に、突起部の他の例について説明する。
図４は凸部４ｃに形成する突起部の他の例を示す図である。図のように、凸部４ｃのガラス板対向面を、内周側を高くし外周側を低くした傾斜面４ｅとし、高くした内周側の稜線を突起部４ｆとするものである。窓枠部４ａの高さＨと突起部４ｆ先端の高さは、ほほ同じとしている。
このような構成において、図３の段差部のものと同様に、半固形状の接着剤７は、突起部４ｆで分断されその両側に分配されて、一方は溝部４ｂへ入り込むと共に、他方はガラス板５と傾斜部４ｅとの隙間を埋めるように変形する。このため、ガラス板５とカバー４との接着面積が増加する。
【００１３】
なお、この構造において、傾斜面４ｅの傾斜角度を５度〜１５度の範囲内にすればより効果的である。５度未満の場合は、突起部４ｆがあまり鋭角にならないため、接着剤７がきれいに分断されにくくなる。また１５度を超える場合は、接着剤７が傾斜面４ｅから滑り落ちたり、ガラス板５で接着剤７を押圧するとき、半固形状の接着剤７が傾斜の低い方へ移動してずれてしまう場合があり、いずれも接着力の低下に繋がる虞がある。上記範囲内であれば、接着時に接着剤７が移動することもなく溝部４ｂ側と傾斜面４ｅ側に分断されて傾斜面４ｅとの隙間に充填された状態を維持でき、十分接着力の向上を図れる。
【００１４】
また、図３又は図４の断面図に示すように、窓枠部４ａのガラス板５との当接部近傍は、肉厚を薄くすることによって剛性を弱くして弾力性を増すようにしている。このようにすれば、ガラス板５が窓枠部４ａに当接したときに密着性が向上する。このために、窓枠部４ａの高さＨを凸部４ｃの突起部先端の高さよりほんの僅かだけ高くしておけばより効果的である。
なお、上記では窓枠部４ａ先端側の肉厚を薄くして弾力性を増すようにしたものを示したが、例えば、別途、窓枠部４ａ先端部近傍に弾性部材を付加する等でもよい。
【００１５】
また、電力量計１０の透視窓３の形状は、一般的に図２に示すような矩形状が多い。この場合、通常四隅にＲを設けているので、凸部４ｃの形状も四隅にＲを有する矩形状となっている。そこで、図２及び図２の矢視Ｃ−Ｃ断面図である図５に示すように、凸部４ｃの四隅の外周近傍に凸部４ｃとほぼ同じ高さの補強リブ４ｇを設け、補強リブ４ｇと矩形状のガラス板５の四隅とを接着剤７で接着するようにしてもよい。こうすれば、ガラス板５の接着面積が更に増加する。
【００１６】
以上のように本実施の形態の発明によれば、カバーには、透視窓の内側の開口部周縁にガラス板と接する窓枠部を形成し、窓枠部の外周に溝部を挟んで一周するように、接着剤が塗布される凸部を設け、凸部のガラス板対向面の内周側の全周にガラス板と当接する突起部を形成し、ガラス板が半固形状の接着剤により凸部に貼り付けられたとき、接着剤が突起部の両側に分配されると共に、ガラス板と凸部のガラス板対向面との隙間が接着剤で埋められるように構成したので、ガラス板と凸部のガラス板対向面に接着剤が確実に充填されて接触面積を確保でき、更に、溝部側に分配された接着剤によって溝部とガラス板とが接着するので、接着面積が増加して接着強度を向上させることができるため、透視窓部のガラス板の接着強度が優れた電力量計を得ることができる。
また、窓枠部とその外周側の溝部により、接着剤が透視窓側へはみ出すのを防止することができる。
【００１７】
また、凸部の突起部は、凸部のガラス板との対向面に微小な段差を設けることにより形成したので、ガラス板の接着工程において、ガラス板を凸部の突起部に当接させたときに、ガラス板と凸部のガラス板対向面との隙間に、半固形状の接着剤が安定して残留するので、確実に接着剤を充填することができ、安定した接着強度を確保できる。
【００１８】
また、凸部のガラス板対向面を、内周側を高くし外周側を低くした傾斜面とし、高くした内周側の稜線を突起部としたので、突起部で半固形状の接着剤が分断された後に接着剤が凸部の両側に分配されるので、ガラス板とカバーとの接着面積を十分に確保でき、安定した接着強度を確保できる。
【００１９】
また、傾斜面の角度を５度〜１５度の範囲内としたので、接着時に接着剤が突起部によって確実に分断されると共に、接着剤が傾斜面の低い側へ移動するようなことがなく、凸部に充填された状態を維持できるので、安定した接着力を確保できる。
【００２０】
また、窓枠のガラス板との当接部近傍は、肉厚を薄くして弾力性を増すようにしたので、カバーとガラス板が当接したときに当接部近傍が変形するとこによりガラス板と窓枠部の密着性が向上するので、透視窓側へ接着剤がはみ出すのを効果的に防止することができる。
【００２１】
更にまた、透視窓及び凸部は四隅にＲを有する矩形状とし、凸部の四隅の外周近傍に凸部とほぼ同じ高さの補強リブを設け、補強リブと矩形状のガラス板の四隅とを接着剤で接着したので、カバーとガラス板の接着面積が増加するため、接着強度を一層向上させることができる。
【図面の簡単な説明】
【００２２】
【図１】この発明の実施の形態１における電力量計を示す側面断面図である。
【図２】図１の矢印Ａから見たカバーの裏面図である。
【図３】図１のＢ部拡大断面図である。
【図４】カバーの凸部に設ける突起部の他の例を示す部分拡大断面図である。
【図５】図１の矢視Ｃ−Ｃから見た拡大断面図である。
【符号の説明】
【００２３】
１  電力量計本体１                    ２  本体容器
２ａ  ベース                          ３  透視窓
４  カバー                            ４ａ  窓枠部
４ｂ  溝部                            ４ｃ  凸部
４ｄ、４ｆ  突起部                    ４ｅ  傾斜部
４ｇ  補強リブ                        ５  ガラス窓
６  端子部                            ７  接着剤
８  ディスペンサ                      ９  保持具
１０  電力量計。
【図１】
2008224602.tif 000003
【図２】
2008224602.tif 000004
【図３】
2008224602.tif 000005
【図４】
2008224602.tif 000006
【図５】
2008224602.tif 000007